(57)【要約】【課題】適切且つ簡易な太陽追尾機能を備える構成を、単管パイプなどのパイプ材を主とする汎用資材に用いて、適切且つ容易に構築できる太陽光発電パネル用架台を提供する。【解決手段】矩形の太陽光発電パネル４０を保持して、一つの回動軸を中心に回動することで太陽の動きを可及的に追尾することができる太陽光発電パネル用架台であって、回動軸パイプ５１と、架台ベース部６０に一直線上に配される複数の軸受部材６１と、一方の対状支持パイプ５２と、他方の対状支持パイプ５３と、バランス保持パイプ５５と、一方の斜め支持パイプ５６と、他方の斜め支持パイプ５７と、太陽光発電パネルが太陽を追尾するように回動軸パイプ５１を回動させる回動駆動装置７０とを具備する。【選択図】図１
2018007517.tif 000002
【特許請求の範囲】
【請求項１】
矩形の太陽光発電パネルを保持し、一つの回動軸を中心に回動することで太陽の動きを可及的に追尾することができる太陽光発電パネル用架台であって、
前記回動軸を中心に回動する軸部材として構成される回動軸パイプと、
該回動軸パイプを回動自在に支持するように架台ベース部に一直線上に配される複数の軸受部材と、
前記回動軸パイプを両側から挟んだ状態に一対のパイプ材が配されて固定されると共に、一端側で前記太陽光発電パネルの一辺に固定されて該太陽光発電パネルを支持する一方の対状支持パイプと、
前記回動軸パイプを両側から挟んだ状態に一対のパイプ材が配されて固定されると共に、一端側で前記太陽光発電パネルの前記一辺に対向する他辺に固定されて該太陽光発電パネルを支持する他方の対状支持パイプと、
前記回動軸パイプを基準に前記太陽光発電パネルとは反対側に重量バランスを取る要素として配されるように、前記一方の対状支持パイプの他端側と前記他方の対状支持パイプの他端側との間に架け渡された状態に固定されたバランス保持パイプと、
該バランス保持パイプに一端側が固定されると共に、他端側が前記太陽光発電パネルの一方の脇辺に固定されることで、斜めに架け渡されて該太陽光発電パネルを支持する一方の斜め支持パイプと、
該バランス保持パイプに一端側が固定されると共に、他端側が前記太陽光発電パネルの前記一方の脇辺に対向する他方の脇辺に固定されることで、斜めに架け渡されて該太陽光発電パネルを支持する他方の斜め支持パイプと、
前記架台ベース部側とベースを共にして前記太陽光発電パネルが太陽を追尾するように前記回動軸パイプを回動させる回動駆動装置とを具備することを特徴とする太陽光発電パネル用架台。
【請求項２】
前記回動軸パイプが実質的に南北に延びるように、前記軸受部材が実質的に南北方向に並べられて配置され、前記一方の対状支持パイプが南側に配される南側対状支持パイプであり、前記他方の対状支持パイプが北側に配される北側対状支持パイプであって、前記一方の斜め支持パイプが東側に配される東側斜め支持パイプであり、前記他方の斜め支持パイプが西側に配される西側斜め支持パイプであることを特徴とする請求項１記載の太陽光発電パネル用架台。
【請求項３】
前記太陽光発電パネルの南側が低くなって北側が高くなるように、前記一方の対状支持パイプの前記回動軸パイプから前記太陽光発電パネルの方向への部分の長さが、前記他方の対状支持パイプの前記回動軸パイプから前記太陽光発電パネルの方向への部分の長さに比べて短く設けられていることを特徴とする請求項２記載の太陽光発電パネル用架台。
【請求項４】
前記回動軸パイプと前記一方の対状支持パイプ、前記回動軸パイプと前記他方の対状支持パイプ、前記バランス保持パイプと前記一方の対状支持パイプ、及び前記バランス保持パイプと前記他方の対状支持パイプが、それぞれ三連の単管クランプによって固定されていることを特徴とする請求項１〜３のいずれかに記載の太陽光発電パネル用架台。
【請求項５】
前記一方の対状支持パイプ、前記他方の対状支持パイプ、前記一方の斜め支持パイプ、及び前記他方の斜め支持パイプを、前記太陽光発電パネルの各辺に固定する構成が、各パイプの端部に締め付けられて装着され、該各パイプの端面の先側で被保持物を受け止めて保持する支承金具を備える支承金具付きクランプであって、前記各パイプに締め付けられるクランプ本体部と、該クランプ本体部に回動可能に軸着されて前記各パイプに締め付けられる回動クランプ部と、締付手段とを具備すると共に、前記支承金具が、前記クランプ本体部に固定された状態に設けられて軸受部を備えるベース金具部と、該ベース金具部の前記軸受部に軸受された軸部を介して該ベース金具部に対して傾動可能に軸着され、前記被保持物を受け止めて保持する第１受面と該第１受面に直交する第２受面とを備える受け金具部とを具備する支承金具付きクランプであることを特徴とする請求項１〜４のいずれかに記載の太陽光発電パネル用架台。
【請求項６】
前記回動軸パイプ、前記一方の対状支持パイプ、前記他方の対状支持パイプ、前記バランス保持パイプ、前記一方の斜め支持パイプ、及び前記他方の斜め支持パイプの各パイプが、単管パイプであることを特徴とする請求項１〜５のいずれかに記載の太陽光発電パネル用架台。
【発明の詳細な説明】
【技術分野】
【０００１】
この発明は、矩形の太陽光発電パネルを保持し、一つの回動軸を中心に回動することで太陽の動きを可及的に追尾することができる太陽光発電パネル用架台に関する。
【背景技術】
【０００２】
従来、太陽光発電パネル用架台としては、例えば、架台上に載置したソーラパネルを太陽の動きに応じて追従させる太陽光追尾装置において、ソーラパネルの南・北方向に伸びる回転軸を軸として回動し得るように架台上に支持する軸受と、作動液を充満した密閉容器からなる受熱槽と太陽光の輻射熱を受けて膨張する受熱槽内の作動液の圧力によってピストンロッドが動作するピストンとからなる主アクチュエータとを設け、主アクチュエータの動作によりソーラパネルを東・西方向に傾動するようにしたもの（特許文献１参照）が、提案されている。
【０００３】
これによれば、ソーラパネルの重心と、回転軸とが、全く離れた位置にあり、ソーラパネルを回動させるアクチュエータを含む駆動機構は、複雑化や大型化している。
【０００４】
また、他の太陽光発電パネルとしては、例えば、太陽電池の受光面を常に太陽の方向へ向けて発電を行う追尾型太陽光発電装置に用いられる太陽電池パネルであって、複数の太陽電池モジュールと、これらの太陽電池モジュールを搭載する支持板と、支持板が太陽を追尾するように支持板を回動させるための回転軸とを備え、支持板は熱伝導性を有する材料からなり、各太陽電池モジュールは受光面と対向する裏面が支持板の表面と面接触していることを特徴とする（特許文献２参照）ものが、提案されている。この太陽光発電パネルでは、その裏面に回転軸が直に固定されている構造になっており、その回転軸を支持する部材（支持台）については特別な提案がされているものではない。
【０００５】
これによっても、一つの回動軸を中心に太陽光発電パネルを回動させることで、太陽を可及的に追尾できるものであるが、回動軸の太陽光発電パネルが取り付けられた表側と、その反対側になる裏側とでは、重量に大きな差異があり、回動重心の位置が、回動軸の軸心と一致しないことになる。すなわち、回動軸の軸心に対して、回動重心が表側に傾き、重量バランスが均等にとれていない。このため、その回動軸を介して太陽光発電パネルを回動するには、重量バランスが均等にとれている場合に比べて、より大きな力（シリンダやモータなどによる駆動力）をかける必要があり、その太陽光発電パネルを回動するための駆動機構が、複雑化や大型化している。
【先行技術文献】
【特許文献】
【０００６】
【特許文献１】特開平０６−３０１４２０号公報（第１頁）
【特許文献２】特開２００５−３１７７５６号公報（第１頁）
【発明の概要】
【発明が解決しようとする課題】
【０００７】
太陽光発電パネル用架台に関して解決しようとする問題点は、一つの回動軸を中心に太陽光発電パネルを回動させることで、太陽を可及的に追尾できる構成を備えるものにあっては、その構成に特別な部材を必要とすることになり易く、その駆動機構が複雑化や大型化し易いことにある。
【０００８】
そこで本発明の目的は、適切且つ簡易な太陽追尾機能を備える構成を、単管パイプなどのパイプ材を主とする汎用資材に用いて、適切且つ容易に構築できる太陽光発電パネル用架台を提供することにある。
【課題を解決するための手段】
【０００９】
上記の課題を解決するため、本発明は、次の構成を備える。
本発明に係る太陽光発電パネル用架台の一形態によれば、矩形の太陽光発電パネルを保持し、一つの回動軸を中心に回動することで太陽の動きを可及的に追尾することができる太陽光発電パネル用架台であって、前記回動軸を中心に回動する軸部材として構成される回動軸パイプと、該回動軸パイプを回動自在に支持するように架台ベース部に一直線上に配される複数の軸受部材と、前記回動軸パイプを両側から挟んだ状態に一対のパイプ材が配されて固定されると共に、一端側で前記太陽光発電パネルの一辺に固定されて該太陽光発電パネルを支持する一方の対状支持パイプと、前記回動軸パイプを両側から挟んだ状態に一対のパイプ材が配されて固定されると共に、一端側で前記太陽光発電パネルの前記一辺に対向する他辺に固定されて該太陽光発電パネルを支持する他方の対状支持パイプと、前記回動軸パイプを基準に前記太陽光発電パネルとは反対側に重量バランスを取る要素として配されるように、前記一方の対状支持パイプの他端側と前記他方の対状支持パイプの他端側との間に架け渡された状態に固定されたバランス保持パイプと、該バランス保持パイプに一端側が固定されると共に、他端側が前記太陽光発電パネルの一方の脇辺に固定されることで、斜めに架け渡されて該太陽光発電パネルを支持する一方の斜め支持パイプと、該バランス保持パイプに一端側が固定されると共に、他端側が前記太陽光発電パネルの前記一方の脇辺に対向する他方の脇辺に固定されることで、斜めに架け渡されて該太陽光発電パネルを支持する他方の斜め支持パイプと、前記架台ベース部側とベースを共にして前記太陽光発電パネルが太陽を追尾するように前記回動軸パイプを回動させる回動駆動装置とを具備する。
【００１０】
また、本発明に係る太陽光発電パネル用架台の一形態によれば、前記回動軸パイプが実質的に南北に延びるように、前記軸受部材が実質的に南北方向に並べられて配置され、前記一方の対状支持パイプが南側に配される南側対状支持パイプであり、前記他方の対状支持パイプが北側に配される北側対状支持パイプであって、前記一方の斜め支持パイプが東側に配される東側斜め支持パイプであり、前記他方の斜め支持パイプが西側に配される西側斜め支持パイプであることを特徴とすることができる。
【００１１】
また、本発明に係る太陽光発電パネル用架台の一形態によれば、前記太陽光発電パネルの南側が低くなって北側が高くなるように、前記一方の対状支持パイプの前記回動軸パイプから前記太陽光発電パネルの方向への部分の長さが、前記他方の対状支持パイプの前記回動軸パイプから前記太陽光発電パネルの方向への部分の長さに比べて短く設けられていることを特徴とすることができる。
【００１２】
また、本発明に係る太陽光発電パネル用架台の一形態によれば、前記回動軸パイプと前記一方の対状支持パイプ、前記回動軸パイプと前記他方の対状支持パイプ、前記バランス保持パイプと前記一方の対状支持パイプ、及び前記バランス保持パイプと前記他方の対状支持パイプが、それぞれ三連の単管クランプによって固定されていることを特徴とすることができる。
【００１３】
また、本発明に係る太陽光発電パネル用架台の一形態によれば、前記一方の対状支持パイプ、前記他方の対状支持パイプ、前記一方の斜め支持パイプ、及び前記他方の斜め支持パイプを、前記太陽光発電パネルの各辺に固定する構成が、各パイプの端部に締め付けられて装着され、該各パイプの端面の先側で被保持物を受け止めて保持する支承金具を備える支承金具付きクランプであって、前記各パイプに締め付けられるクランプ本体部と、該クランプ本体部に回動可能に軸着されて前記各パイプに締め付けられる回動クランプ部と、締付手段とを具備すると共に、前記支承金具が、前記クランプ本体部に固定された状態に設けられて軸受部を備えるベース金具部と、該ベース金具部の前記軸受部に軸受された軸部を介して該ベース金具部に対して傾動可能に軸着され、前記被保持物を受け止めて保持する第１受面と該第１受面に直交する第２受面とを備える受け金具部とを具備する支承金具付きクランプであることを特徴とすることができる。
【００１４】
また、本発明に係る太陽光発電パネル用架台の一形態によれば、前記回動軸パイプ、前記一方の対状支持パイプ、前記他方の対状支持パイプ、前記バランス保持パイプ、前記一方の斜め支持パイプ、及び前記他方の斜め支持パイプの各パイプが、単管パイプであることを特徴とすることができる。
【発明の効果】
【００１５】
本発明に係る太陽光発電パネル用架台によれば、適切且つ簡易な太陽追尾機能を備える構成を、単管パイプなどのパイプ材を主とする汎用資材に用いて、適切且つ容易に構築できるという特別有利な効果を奏する。
【図面の簡単な説明】
【００１６】
【図１】本発明に係る太陽光発電パネル用架台の形態例を示す背面、底面、右側面を表す斜視図である。
【図２】図１の形態例の複数が回動軸パイプで連結された状態を示す左側面図である。
【図３】図１の形態例の背面図である。
【図４】本発明に係る太陽光発電パネル用架台に利用できる回動駆動装置を含む回動駆動機構の形態例を模式的に示す側面図である。
【図５】図４の形態例の太陽光発電パネル用架台の配置例を示す平面図である。
【図６】本発明に係る太陽光発電パネル用架台に利用できる支承金具付クランプの形態例を示す斜視図である。
【図７】図６の形態例を反対側から見た斜視図である。
【発明を実施するための形態】
【００１７】
以下、本発明に係る太陽光発電パネル用架台の形態例を図面（図１〜６）に基づいて説明する。この太陽光発電パネル用架台は、矩形の太陽光発電パネル４０を保持し、一つの回動軸を中心に回動することで太陽の動きを可及的に追尾することができるものである。
【００１８】
５１は回動軸パイプであり、回動軸を中心に回動する軸部材として構成されている。本形態例の回動軸パイプ５１は、図１に示すように、単管パイプによって構成されている。この回動軸パイプ５１は、図２に示すように、延長することで、複数の太陽光発電パネル４０について、回転軸を構成することになり、同時に回動させて太陽の動きを可及的に追尾することができる。
【００１９】
６１は軸受部材であり、回動軸パイプ５１を回動自在に支持するように架台ベース部６０に一直線上に複数が配されている。本形態例の軸受部材６１は、矩形短冊状の台部６２に固定され、その台部６２が単管パイプによって構築された架台ベース部６０に装着されることで固定されている。なお、本形態例の軸受部材６１の固定方法は、ボルト・ナットによっているが、これに限定されるものではなく、既知の他の固着手段を適宜に用いることができるのは勿論である。
【００２０】
５２は一方の対状支持パイプであり、回動軸パイプ５１を両側から挟んだ状態に一対のパイプ材が配されて固定されると共に、一端側で太陽光発電パネル４０の前記回動軸に直交する面に平行な一辺４１に固定されて太陽光発電パネル４０を支持するように設けられている。本形態例の一方の対状支持パイプ５２は、図１に示すように、一対の単管パイプ５２ａ、５２ｂによって構成されている。この一方の対状支持パイプ５２によれば、後述する支承金具付クランプ２０などの連結・固定手段を、一辺４１について二つ使って太陽光発電パネル４０を支持することになるため、その太陽光発電パネル４０を安定的に保持することができる。
【００２１】
５３は他方の対状支持パイプであり、回動軸パイプ５１を両側から挟んだ状態に一対のパイプ材が配されて固定されると共に、一端側で太陽光発電パネル４０の一辺４１に対向する他辺４２に固定されて太陽光発電パネル４０を支持するように設けられている。この他辺４２も、太陽光発電パネル４０の前記回動軸に直交する面に平行な辺になっている。本形態例の他方の対状支持パイプ５３は、図１に示すように、一対の単管パイプ５３ａ、５３ｂによって構成されている。この他方の対状支持パイプ５３によれば、後述する支承金具付クランプ２０などの連結・固定手段を、他辺４２について二つ使って太陽光発電パネル４０を支持することになるため、その太陽光発電パネル４０を安定的に保持することができる。
【００２２】
５５はバランス保持パイプであり、回動軸パイプ５１を基準に太陽光発電パネル４０とは反対側に重量バランスを取る要素として配されるように、一方の対状支持パイプ５２の他端側と他方の対状支持パイプ５３の他端側との間に架け渡された状態に固定されている。本形態例のバランス保持パイプ５５は、図１に示すように、単管パイプによって構成されている。
【００２３】
５６は一方の斜め支持パイプであり、バランス保持パイプ５５に一端側が固定されると共に、他端側が太陽光発電パネル４０の一方の脇辺４３に固定されることで、斜めに架け渡されてその太陽光発電パネル４０を支持する。この一方の脇辺は、フレーム材によって形成される矩形の太陽光発電パネル４０の一つの辺部であり、本形態例では、前記回転軸に平行な面の上に引くことのできる直線と、重なる辺になっている。本形態例の一方の斜め支持パイプ５６は、図１に示すように、単管パイプによって構成されている。
【００２４】
５７は他方の斜め支持パイプであり、バランス保持パイプ５５に一端側が固定されると共に、他端側が太陽光発電パネル４０の一方の脇辺４３に対向する他方の脇辺４４に固定されることで、斜めに架け渡されてその太陽光発電パネル４０を支持する。この他方の脇辺も、フレーム材によって形成される矩形の太陽光発電パネル４０の一つの辺部であり、本形態例では、前記回転軸に平行な面の上に引くことのできる直線と、重なる辺になっている。本形態例の他方の斜め支持パイプは、図１に示すように、単管パイプによって構成されている。
【００２５】
また、７０は回動駆動装置であり、図４及び５に示すように、架台ベース部６０側とベースを共にして太陽光発電パネル４０が太陽を追尾するように回動軸パイプ５１を回動させるものである。本形態例の回動駆動装置７０は、シリンダ装置によって構成されているが、これに限定されるものではなく、例えば電動モータの駆動力を利用することも可能である。
【００２６】
これによれば、太陽光発電パネル用の架台を、単管パイプなどのパイプ材によって、太陽光発電パネルを支持して回動する回動架台部を含めて、適切且つ簡易で安価に構築できる。また、太陽光発電パネルと、これを支持して回動する回動架台部とが、一体化した回動部について、回動重心と回動軸の軸心を一致させてバランスがよいため、小さな力の駆動力で太陽を追尾することができ、装置構成を簡素化して設備費にかかるコストを低減できる。すなわち、回動軸パイプ５１を中心にして、太陽光発電パネル４０を含む側と、反対側のバランス保持パイプ５５を含む側とが、重量的にバランスを取るように構成されているため、回動時の負荷を軽減できると共に、強風時などでも保持し易く耐久性を向上でき、さらに、このようにバランスを取ることで、より多くの太陽光発電パネル４０を小さな駆動力で回動させることができ、装置構成の簡素化やコスト低減を実現できる。従って、この太陽光発電パネル用架台によれば、適切且つ簡易な太陽追尾機能を備える構成を、単管パイプなどのパイプ材を主とする汎用資材に用いて、適切且つ容易に構築できるという特別有利な効果を奏する。
【００２７】
また、本形態例では、架台配置の方位が、回動軸パイプ５１が実質的に南北に延びるように、軸受部材６１が実質的に南北方向に並べられて配置され、一方の対状支持パイプ５２が南側に配される南側対状支持パイプであり、他方の対状支持パイプ５３が北側に配される北側対状支持パイプであって、一方の斜め支持パイプ５６が東側に配される東側斜め支持パイプであり、他方の斜め支持パイプ５７が西側に配される西側斜め支持パイプであるように配置されている。これによれば、一つの回動軸を備える太陽光発電パネル用架台であるが、太陽追尾機能を可及的に向上させ、発電効率を可及的に向上できる。
【００２８】
また、本形態例では、図１及び２に示すように、太陽光発電パネル４０の南側が低くなって北側が高くなるように、一方の対状支持パイプ５２（南側対状支持パイプ）の回動軸パイプ５１から太陽光発電パネル４０の方向への部分の長さが、他方の対状支持パイプ５３（北側対状支持パイプ）の回動軸パイプから太陽光発電パネルの方向への部分の長さに比べて短く設けられている。これによれば、太陽光発電パネルを、太陽の仰角に対応させてより良く正対することが可能になり、一つの回動軸を備える太陽光発電パネル用架台であるが、太陽追尾機能を可及的により向上させ、発電効率を可及的により向上できる。
【００２９】
また、本形態例では、回動軸パイプ５１と一方の対状支持パイプ５２、回動軸パイプ５１と他方の対状支持パイプ５３、バランス保持パイプ５５と一方の対状支持パイプ５２、及びバランス保持パイプ５５と他方の対状支持パイプ５３が、それぞれ三連の単管クランプ５８によって連結・固定されている。これによって、効率良く、３本のパイプ同士を連結できる。
【００３０】
また、本形態例では、バランス保持パイプ５５と一方の斜め支持パイプ５６、及びバランス保持パイプ５５と他方の斜め支持パイプ５７が、二連の通常の単管クランプ５９によって連結・固定されている。この通常の単管クランプ５９は、クランプ同士が回動可能に連結された構成であり、一方の斜め支持パイプ５６と他方の斜め支持パイプ５７とは、図１に示すように、バランス保持パイプ５５に対して僅かに捻られた状態に連結・固定される場合もあるが、柔軟に対応できる。
【００３１】
以上の構成によれば、回動軸パイプ５１を中心にして、太陽光発電パネル４０と対状支持パイプ５２、５３の一端側及び斜め支持パイプ５６、５７の他端側の重量と、バランス保持パイプ５５と対状支持パイプ５２、５３の他端側及び斜め支持パイプ５６、５７の一端側の重量とに、適切に振り分けてバランスを取れる形態を、一般的な単管パイプや単管クランプを用いて適切且つ容易に構築できる。
【００３２】
なお、回動軸パイプ５１を中心にした重量バランスの調整については、錘を、回動架台部を構成する、一方の対状支持パイプ５２、他方の対状支持パイプ５３、バランス保持パイプ５５、一方の斜め支持パイプ５６、他方の斜め支持パイプ５７に、適宜に固定すればよい。この錘としては、単管クランプを利用することができ、その装着・固定位置を調整することで、容易にバランス調整を行うことができる。
【００３３】
また、図４及び５に示す本形態例では、複数の四節リンク機構が形成され、一つの回動駆動装置７０（本形態例ではシリンダ装置）の駆動によって、一つの従動リンク７１を介して、複数の太陽光発電パネル４０が、太陽を同時に追尾するべく、連動するように構成されている。前述したように、本発明では、各太陽光発電パネル４０とそれを保持して回動する各回動架台部とから構成される回動部について、その回動重心と、回動軸の軸心とを一致させてバランスが良く設けられている。このため、一つ又は一列の回動軸パイプ５１によって支持された複数の太陽光発電パネル４０であって、それが一列又は複数列に配されることで設置される多数の太陽光発電パネル４０についても、一つ又は少数の回動駆動装置による小さな力の駆動力で太陽を追尾することができ、装置構成を簡素化できることから、設備費及びランニングコストの低減を実現できる。
【００３４】
次に、本発明に係る太陽光発電パネル用架台に利用できる支承金具付クランプ２０の形態例を図６に基づいて説明する。この支承金具付クランプ２０は、単管パイプ１０の端部に締め付けられて装着され、その単管パイプ１０の端面１１の先側で被保持物を受け止めて保持する支承金具３０を備えるものである。本形態例では、単管パイプ１０によって構成された一方の対状支持パイプ５２、他方の対状支持パイプ５３、一方の斜め支持パイプ５６、及び他方の斜め支持パイプ５７を、太陽光発電パネル４０の各辺４１、４２、４３、４４に固定する構成になっている。
【００３５】
先ず、この支承金具付クランプ２０は、図６に示すように、単管パイプ１０の長手方向の端部に締め付けによって固定されるように、その単管パイプ１０に締め付けられるクランプ本体部２１と、そのクランプ本体部２１に回動可能に軸着されて単管パイプ１０に締め付けられる回動クランプ部２２と、締付手段２３とを備える。すなわち、この太陽光発電パネル用架台によれば、クランプ本体部２１と回動クランプ部２２とで、単管パイプ１０を両側から包むように挟み込み、その両者について締付手段２３によって締め付けることによって、単管パイプ１０に固定される構成要素を備えている。
【００３６】
このクランプ本体部２１と回動クランプ部２２と締付手段２３との構成要素は、従来から極めて一般的に利用されている単管クランプのうちの単クランプと称される形態を構成するものである。なお、締付手段２３としては、例えば図６に示すように、極めて一般的な形態であるが、クランプ本体部２１に対して根元部が回動可能に装着されたボルト２３ａと、そのボルト２３ａに螺合されて回動クランプ部２２に当接して締め付けるナット２３ｂとで構成することができる。なお、この締付手段２３としては、他の既知の固着手段を適宜に用いることができるのは勿論のことである。
【００３７】
そして、本発明に係る支承金具付クランプ２０では、支承金具３０が、クランプ本体部２１に固定された状態に設けられて軸受部３２を備えるベース金具部３１と、そのベース金具部３１の軸受部３２に軸受された軸部３５を介してそのベース金具部３１に対して傾動可能に軸着され、被保持物を受け止めて保持する第１受面３３ａとその第１受面３３ａに直交する第２受面３３ｂとを備える受け金具部３３とを具備する。なお、クランプ本体部２１と回動クランプ部２２とは、その名称を相互に入れ換えても支障がない部材として相対的な関係にあり、ここでは、支承金具３０が固定されている側をクランプ本体部２１としている。
【００３８】
これによれば、太陽光発電パネルなどの被保持物を、単管パイプの端部の先側に、より確実且つ簡便に保持できる。すなわち、太陽光発電パネルなどのパネル状の被保持物を、単管パイプの中心軸に傾斜して保持する状態に固定する場合にも、上述のように第１受面３３ａと第２受面３３ｂとを備える受け金具部３３によれば、その二面が、対応する被保持物の二面に面接触して適切に受けることができ、安定的に保持できる。また、その受け金具部３３は、タッピングネジを、被保持物に、後述する取付け孔３６に通して締め込むことで、簡単に止め付けることができ、固定作業を簡便に行うことができる。なお、この止め付け形態に限定されるものではなく、他の固定方法を利用できるのは勿論である。
【００３９】
また、本形態例では、ベース金具部３１の先端部３１ａが、単管パイプ１０に装着された際にその単管パイプ１０の長手方向へ延出されるように、クランプ本体部２１から片持ちに突き出て固定された状態に設けられ、そのベース金具部３１の先端部３１ａの両脇で単管パイプ１０の仮想延長部の内側へ折り曲げられてコの字状に形成された両方の立上げ板部３１ｂのそれぞれに、軸受部３２を構成する軸受孔３２ａが設けられ、軸部３５が、長ピン状軸３５ａを軸受孔３２ａの両方に通して軸着することで構成されている。なお、この形態例では、長ピン状軸３５ａは、ヘッド付きの棒状材の端部がカシメによって抜け止めされ、一対の軸受孔３２ａに渡された状態で軸着され、軸部３５を構成しているが、本発明に係る軸部３５の構成はこれに限定されるものではなく、他の軸の形態であってもよいのは勿論であり、例えば、長ピン状軸３５ａをボルトで構成し、ナットを螺合させて抜け止めとしてもよい。
【００４０】
なお、本形態例のベース金具部３１の先端部は、クランプ本体部２１の平坦な外面に対して、金属板材による別部材で設けられたベース金具部３１を構成する部品の後側部３１ｃを、スポット溶接によって一体的に固定することで構成されているが、本発明はこれに限定されるものではなく、他の溶接方法を用いることや、適宜な折り曲げ形態やカシメ形態などの固着方用や成形方法によって、クランプ本体部２１と一体的に構成することも可能である。
【００４１】
また、本形態例では、受け金具部３３が、長ピン状軸３５ａの中心軸に平行な第１受面３３ａと、その第１受面３３ａと直交すると共に長ピン状軸３５ａの中心軸に平行な第２受面３３ｂと、長ピン状軸３５ａに軸着される軸着部３４であってその長ピン状軸３５ａの中心軸に直交する面に設けられた軸着孔３４ａとを備えている。これによれば、強度や剛性などの所望の仕様を満足する受け金具部３３を、簡易で合理的に構成することができる。従って、本発明に係る支承金具付クランプを、低コストで生産でき、その汎用性を高めることができる。
【００４２】
以上、本発明につき好適な形態例を挙げて種々説明してきたが、本発明はこの形態例に限定されるものではなく、発明の精神を逸脱しない範囲内で多くの改変を施し得るのは勿論ことである。
【符号の説明】
【００４３】
１０  単管パイプ
１１  端面
２０  支承金具付クランプ
２１  クランプ本体部
２２  回動クランプ部
２３  締付手段
２３ａ  ボルト
２３ｂ  ナット
３０  支承金具
３１  ベース金具部
３１ａ  先端部
３１ｂ  立上げ板部
３１ｃ  後側部
３２  軸受部
３２ａ  軸受孔
３３  受け金具部
３３ａ  第１受面
３３ｂ  第２受面
３４  軸着部
３４ａ  軸着孔
３５  軸部
３５ａ  長ピン状軸
３６  取付け孔
４０  太陽光発電パネル
４１  一辺
４２  他辺
４３  一方の脇辺
４４  他方の脇辺
５１  回動軸パイプ
５２  一方の対状支持パイプ（南側対状支持パイプ）
５２ａ  単管パイプ
５２ｂ  単管パイプ
５３  他方の対状支持パイプ（北側対状支持パイプ）
５３ａ  単管パイプ
５３ｂ  単管パイプ
５５  バランス保持パイプ
５６  一方の斜め支持パイプ（東側斜め支持パイプ）
５７  他方の斜め支持パイプ（西側斜め支持パイプ）
５８  三連の単管クランプ
５９  単管クランプ
６０  架台ベース部
６１  軸受部材
６２  台部
７０  回動駆動装置
７１  従動リンク
【図１】
2018007517.tif 000003
【図２】
2018007517.tif 000004
【図３】
2018007517.tif 000005
【図４】
2018007517.tif 000006
【図５】
2018007517.tif 000007
【図６】
2018007517.tif 000008
【図７】
2018007517.tif 000009